(57)【要約】【課題】ディスプレイネット及びリスタパネルを引っ掛けることができる上、使い易くて交換コストが節約できる陳列棚の組立式背板を提供する。【解決手段】陳列棚の組立式背板Ａは、受板２０、複数の掛止片３０及び上組立片４０を備える。受板２０は、横長プレート状を呈し、上端に形成された上突合せ面２１と、下端に形成された下突合せ面２３とを有する。掛止片３０は、平行に設置されて受板２０の正面に設けられる。互いに隣り合う２つの掛止片３０間には横方向溝３１がそれぞれ形成される。各掛止片３０は、受板２０の正面に内端が結合された接続片３２と、接続片３２の外端から上方に延びた上フック片３３及び下方に延びた下フック片３４とを含む。上フック片３３の上端には、ディスプレイネットに掛止するネット用引っ掛け部１１が引っ掛けられる。【選択図】図３
0003223262.tif 000002
【実用新案登録請求の範囲】
【請求項１】
受板、複数の掛止片及び上組立片を備えた、陳列棚の組立式背板であって、
前記受板は、横長プレート状を呈し、上端に形成された上突合せ面と、下端に形成された下突合せ面と、を有し、
前記掛止片は、平行に設置されて前記受板の正面に設けられ、互いに隣り合う２つの前記掛止片間には横方向溝がそれぞれ形成され、各前記掛止片は、前記受板の正面に内端が結合された接続片と、前記接続片の外端から上方に延びた上フック片及び下方に延びた下フック片と、を含み、前記上フック片の上端には、ディスプレイネットに掛止するネット用引っ掛け部が引っ掛けられ、隣り合う２つの前記掛止片の前記上フック片と前記下フック片との間は、前記横方向溝の小さ目の開口に至るまで貫通され、リスタ用フックハンガーのリスタ用引っ掛け部の上端部は前記横方向溝中に入り込ませて引っ掛けられ、前記下フック片の下端が前面に当接され、
前記上組立片は、前記受板の背面から上端に近づいて上方へ延び、前向きに開口した組立溝を有し、前記組立溝中には、螺着する少なくとも１つのねじが収容され、
複数の前記組立式背板は、上下に積層され、上方の前記受板の前記下突合せ面と、下方の前記受板の前記上突合せ面とが突き合わされて接続され、下方の前記上組立片が覆われることを特徴とする、陳列棚の組立式背板。
【請求項２】
前記上突合せ面は、下斜め後方に傾斜し、
前記下突合せ面は、上斜め前方に傾斜することを特徴とする請求項１に記載の陳列棚の組立式背板。
【請求項３】
前記上突合せ面の下縁には、係合溝が形成され、
前記係合溝には、上方の前記受板の前記上突合せ面の端部が係止されることを特徴とする請求項２に記載の陳列棚の組立式背板。
【請求項４】
前記下フック片は、前記接続片の外端から下向き内方に傾斜して延びることを特徴とする請求項１に記載の陳列棚の組立式背板。
【請求項５】
前記上組立片の前記組立溝中には、水平に延びた位置決め溝が形成され、
前記位置決め溝にねじが螺着されて位置決めされることを特徴とする請求項１に記載の陳列棚の組立式背板。
【請求項６】
下組立片をさらに備え、
前記上組立片の頂面には、突片が突設され、
前記下組立片は、前記受板の背面から下端に近づいて後方へ延びてフック状を呈し、下方の前記組立式背板の前記上組立片の前記突片に引っ掛けられることを特徴とする請求項１に記載の陳列棚の組立式背板。
【請求項７】
前記受板の背面の中央部に水平に突設され、全体の構造強度を高めるリブをさらに備えることを特徴とする請求項１に記載の陳列棚の組立式背板。
【考案の詳細な説明】
【技術分野】
【０００１】
本考案は、陳列棚の組立式背板に関し、特に、ディスプレイネット及びリスタパネルを引っ掛けることができる上、使い易くて交換コストが節約できる陳列棚の組立式背板に関する。
【背景技術】
【０００２】
一般の店舗には、展示商品を引っ掛けやすいように、陳列棚上に複数のフックハンガーが設置され、消費者が購入し易いように、様々な商品が分類されてフックハンガーに引っ掛けられていた。従来のフックハンガーは、型式の違いに依りネット用フックハンガー１０又はリスタ用フックハンガー１４の２種類に分けられる。ネット用フックハンガー１０（図１を参照する）は、上端が逆Ｕ字状に折り曲げられて形成されたネット用引っ掛け部１１を有し、ネット用引っ掛け部１１によりディスプレイネット１２の棒線１３に引っ掛けられていた。リスタ用フックハンガー１４（図２を参照する）は、上端がＺ字状に折り曲げられたリスタ用引っ掛け部１５を有し、リスタ用引っ掛け部１５によりリスタパネル１６のＬ字状の横溝１７中に引っ掛けられていた。
【０００３】
そのため、店舗の古い陳列棚を別の型式の新しい陳列棚に交換する場合、新しい陳列棚に合わせてフックハンガーも一緒に交換しなければならなかったため、交換費用が多くかかった。例えば、古いディスプレイネット式の陳列棚を新しいリスタパネル式の陳列棚に交換するとき、古いネット用フックハンガー１０を使用することができず、リスタ用フックハンガー１４を新たに購入する必要があった。同様に、古いリスタパネル式陳列棚を新しいディスプレイネット式陳列棚に交換するときは、古いリスタ用フックハンガー１４を使用することができないため、新たにネット用フックハンガー１０を購入する必要があった。
【０００４】
従来の陳列棚では１種類のフックしか使用できず、陳列棚を交換する際にフックも一緒に交換しなければならず、交換にかかるコストが発生していた。そのため、上述したような従来技術の問題点を改善する技術が求められていた。
【０００５】
そこで、本考案者は、上記課題を解決するための鋭意検討を重ねた結果、本考案に想到するに至った。
【考案の概要】
【考案が解決しようとする課題】
【０００６】
本考案の主な目的は、ディスプレイネット及びリスタパネルを引っ掛けることができる上、使い易くて交換コストが節約できる陳列棚の組立式背板を提供することにある。
【課題を解決するための手段】
【０００７】
上記課題を解決するために、本考案の第１の形態によれば、受板、複数の掛止片及び上組立片を備えた、陳列棚の組立式背板であって、前記受板は、横長プレート状を呈し、上端に形成された上突合せ面と、下端に形成された下突合せ面と、を有し、前記掛止片は、平行に設置されて前記受板の正面に設けられ、互いに隣り合う２つの前記掛止片間には横方向溝がそれぞれ形成され、各前記掛止片は、前記受板の正面に内端が結合された接続片と、前記接続片の外端から上方に延びた上フック片及び下方に延びた下フック片と、を含み、前記上フック片の上端には、ディスプレイネットに掛止するネット用引っ掛け部が引っ掛けられ、隣り合う２つの前記掛止片の前記上フック片と前記下フック片との間は、前記横方向溝の小さ目の開口に至るまで貫通され、リスタ用フックハンガーのリスタ用引っ掛け部の上端部は前記横方向溝中に入り込ませて引っ掛けられ、前記下フック片の下端が前面に当接され、前記上組立片は、前記受板の背面から上端に近づいて上方へ延び、前向きに開口した組立溝を有し、前記組立溝中には、螺着する少なくとも１つのねじが収容され、複数の前記組立式背板は、上下に積層され、上方の前記受板の前記下突合せ面と、下方の前記受板の前記上突合せ面とが突き合わされて接続され、下方の前記上組立片が覆われることを特徴とする、陳列棚の組立式背板を提供する。
【０００８】
前記上突合せ面は、下斜め後方に傾斜し、前記下突合せ面は、上斜め前方に傾斜することが好ましい。
【０００９】
前記上突合せ面の下縁には、係合溝が形成され、前記係合溝には、上方の前記受板の前記上突合せ面の端部が係止されることが好ましい。
【００１０】
前記下フック片は、前記接続片の外端から下向き内方に傾斜して延びることが好ましい。
【００１１】
前記上組立片の前記組立溝中には、水平に延びた位置決め溝が形成され、前記位置決め溝にねじが螺着されて位置決めされることが好ましい。
【００１２】
下組立片をさらに備え、前記上組立片の頂面には、突片が突設され、前記下組立片は、前記受板の背面から下端に近づいて後方へ延びてフック状を呈し、下方の前記組立式背板の前記上組立片の前記突片に引っ掛けることが好ましい。
【００１３】
前記受板の背面の中央部に水平に突設され、全体の構造強度を高めるリブをさらに備えることが好ましい。
【考案の効果】
【００１４】
本考案の陳列棚の組立式背板は、使い易く、古いディスプレイネット式陳列棚又はリスタパネル式陳列棚を交換するときでも、古いネット用フックハンガー及びリスタ用フックハンガーを依然使用し続けることができ、別途購入する必要が無いため、交換コストを大幅に減らすことができる。
【図面の簡単な説明】
【００１５】
【図１】図１は、従来のネット用フックハンガーの使用状態の説明図。
【図２】図２は、従来のリスタ用フックハンガーの使用状態の説明図。
【図３】図３は、本考案の一実施形態に係る陳列棚の組立式背板を示す分解斜視図。
【図４】図４は、本考案の一実施形態に係る陳列棚の組立式背板を示す組立斜視図。
【図５】図５は、本考案の一実施形態に係る陳列棚の組立式背板を示す組立断面図。
【図６】図６は、本考案の一実施形態に係る陳列棚の組立式背板の２つの組立式背板の突合せ接続箇所を示す拡大断面図。
【図７】図７は、本考案の一実施形態に係る陳列棚の組立式背板の使用状態の説明図。
【考案を実施するための形態】
【００１６】
図３〜図６を参照する。図３〜図６に示すように、本考案の一実施形態に係る陳列棚の組立式背板Ａは、金属材料（例えば、アルミニウム合金のアルミニウム押出成形）からなり、受板２０、複数の掛止片３０、上組立片４０、下組立片５０及びリブ６０を含む。
【００１７】
受板２０は、横長プレート状を呈し、下斜め後方に傾斜する上突合せ面２１が上端に形成される。上突合せ面２１の下縁には、係合溝２２が形成される。受板２０の下端には、上斜め前方に傾斜する下突合せ面２３が形成される。
【００１８】
複数の掛止片３０は、平行に設置されて受板２０の正面に一体成形され、受板２０の対向する２つの側辺に至るまで水平に延び、互いに隣り合う２つの掛止片３０間には横方向溝３１がそれぞれ形成される。各掛止片３０は、接続片３２、上フック片３３及び下フック片３４を含む。接続片３２は、内端が受板２０の正面に結合され、外端が受板２０の前側に至るまで水平に延びる。上フック片３３は、接続片３２の外端から上方へ垂直に延び、従来のネット用フックハンガー１０のネット用引っ掛け部１１を上端に引っ掛けることができるようにする。下フック片３４は、接続片３２の外端から下向き内方に傾斜して延び、隣り合う２つの掛止片３０の上フック片３３と下フック片３４との間には、横方向溝３１の小さ目の開口に至るまで貫通し、従来のリスタ用フックハンガー１４のリスタ用引っ掛け部１５の上端部を横方向溝３１中に入り込ませると、下フック片３４の下端が前面に当接される。
【００１９】
上組立片４０は、受板２０の背面から上端に近づいて上方へ延びてＣ字状を呈し、前向きに開口した組立溝４１を有する。組立溝４１中には、水平に延びた位置決め溝４２が形成され、ねじを螺着して位置決めする。上組立片４０の頂面には、突片４３が突設されている。
【００２０】
下組立片５０は、受板２０の背面から下端に近づいて後方へ延びてフック状を呈する。
【００２１】
リブ６０は、受板２０の背面の中央部に水平に突設され、全体の構造強度を高めてもよい。
【００２２】
複数の組立式背板Ａを上下に積層し、上方の組立式背板Ａの受板２０の下突合せ面２３と、下方の組立式背板Ａの受板２０の上突合せ面２１と、係合溝２２とを接合し、上方の組立式背板Ａの下組立片５０を下方の組立式背板Ａの上組立片４０の突片４３に引っ掛け、上方の組立式背板Ａの受板２０の下端により下方の組立式背板Ａの上組立片４０を覆う。
【００２３】
図７を参照する。図７に示すように、本実施形態の陳列棚の組立式背板Ａを上下に積層してステージＢ上に取り付けると、複数の掛止片３０の上フック片３３に一般のネット用フックハンガー１０のネット用引っ掛け部１１を引っ掛けることができる上、複数の掛止片３０間に形成した横方向溝３１により、一般のリスタ用フックハンガー１４のリスタ用引っ掛け部１５の上端部を引っ掛けることもできる。
【００２４】
上述したことから分かるように、本考案の陳列棚の組立式背板は、使い易く、古いディスプレイネット式陳列棚又はリスタパネル式陳列棚を交換するときでも、古いネット用フックハンガー１０及びリスタ用フックハンガー１４を依然として使用し続け、別途購入する必要が無いため、交換コストを大幅に減らすことができる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０  ネット用フックハンガー
１１  ネット用引っ掛け部
１２  ディスプレイネット
１３  棒線
１４  リスタ用フックハンガー
１５  リスタ用引っ掛け部
１６  リスタパネル
１７  横溝
２０  受板
２１  上突合せ面
２２  係合溝
２３  下突合せ面
３０  掛止片
３１  横方向溝
３２  接続片
３３  上フック片
３４  下フック片
４０  上組立片
４１  組立溝
４２  位置決め溝
４３  突片
５０  下組立片
６０  リブ
Ａ  組立式背板
Ｂ  ステージ
【図１】
0003223262.tif 000003
【図２】
0003223262.tif 000004
【図３】
0003223262.tif 000005
【図４】
0003223262.tif 000006
【図５】
0003223262.tif 000007
【図６】
0003223262.tif 000008
【図７】
0003223262.tif 000009